(57)【特許請求の範囲】
【請求項１】
互いに間隔をおいて配置され、各ケースにおいて帯のこブレードを一定半径で誘導し、両者間に少なくとも１つの直線通路（III）を配設するとともに、一定半径を有する一対の偏向体（２、２’）から直線通路まで少なくとも一つの遷移範囲（II）を提供するような一対の偏向体（２，２’）の周りにおける無限帯のこブレード（１）の誘導方法おいて、
この遷移範囲（II）における帯のこブレード（１）は、クロソイド弧状に増加する半径（rvar）で誘導されることを特徴とする無限帯のこブレード（１）誘導方法。
【請求項２】
請求項１に基づく方法によって誘導される帯のこブレードのテンションの測定および設定を行う装置であって、複数の圧力ローラーを具備し、測定結果に基づいて圧力変化に関して制御可能であるとともに、これらの圧力ローラが直線通路コースに配置されている、帯のこブレードのテンションの測定および設定を行う装置において、
圧力の測定は、クロソイド弧状に増加する半径によって通路範囲（II）の帯のこブレードが誘導される範囲に配置された測定部（３０）により行われることを特徴とする帯のこブレードのテンションの測定および設定を行う装置。
【請求項３】
請求項１記載の方法を実施する装置であって、
クロソイド弧状の通路範囲（II）は二つの平行な誘導チーク部（２０）によって形成され、各ケースにおいてこの誘導チーク部は二つの部分チークセクション（２１，２２）に細分化され、
この通路範囲におけるのこブレードは、接触ローラ（２５）と揺動車（２７）に取り付けられたホールディングダウンローラー（２６）との間を滑走する、ことを特徴とする請求項１記載の方法を実施する装置。
【請求項４】
滑走方向における測定部（３０）は、クロソイド弧状を有する通路範囲（II）の中間の近傍に配置されている、
ことを特徴とする請求項３記載の装置。
【請求項５】
プレッシャーローラ（１０）の前部の直線通路コースには、帯のこブレードの後部の線形性を測定する制御ユニット（８）が配置されている、
ことを特徴とする請求項３記載の装置。
【請求項６】
プレッシャーローラ（１０）の前部の直線通路コースには、帯のこブレード（１）の平面度を調べるテストユニット（９）が設けられている、
ことを特徴とする請求項３記載の装置。
【請求項７】
コンピュータ（７）を更に備え、
このコンピュータ（７）は、測定部（３０）及び／又は制御ユニット（８）及び／又はテストユニット（９）の測定データと、基準値とを比較して、
コンピュータによりプレッシャーローラ（１０）を制御する制御手段をさらに備えたことを特徴とする請求項３記載の装置。
【請求項８】
偏向体（２，２’）間の間隔は、テンション手段（４）によって可変であることを特徴とする請求項３記載の装置。
【請求項９】
測定部（３０）は、滑走方向の長手に対して横断するように配置された梁（３０）を具備し、
梁（３０）には、数個の近接測定プローブが列をなして設けられ、梁（３０）によって、長手方向に対して横切るように現在の帯のこブレード（１）の反りを計測することができる、
ことを特徴とする請求項３記載の装置。
【請求項１０】
反りに関する基準値がコンピュータ（７）に入力されていることを特徴とする請求項７または９のうちいずれか１項に記載の装置。
【発明の詳細な説明】
【０００１】
【発明の属する技術分野】
本発明は、二つの偏向体上を滑走する無限帯のこブレードの誘導方法、帯のこブレードのテンションの測定および設定を行う装置、および無限帯のこブレード誘導方法を実施する装置に関する。
【０００２】
【従来の技術】
知られているように、帯のこブレードの用途は、除去可能箇所の材料を除去することである。これは、２つの偏向体の間の真っ直ぐに延びた通路における帯のこブレードが、全くの平坦となるようになっている事を意味する。さらに、帯のこブレードは、可能な限り平坦な位置の偏向体において誘導されるようになっている。偏向体の誘導範囲における帯のこブレードが、偏向体の進路方向に単に弓形に延びているのであれば、すなわち、実質的に半円状に延びているならば、ドラム、ローラ、または偏向車輪は、実質的に円筒でなければならない。しかしながら、円周の表面上で、帯のこブレードは不十分な誘導を有するであろう、そして進路から外れて滑走するであろう。従って、わずかに反らされた表面を、これらの偏向ローラ、ドラム、または車輪に付与している。帯のこブレードは、結果として直線進路上では完全に平坦に延びていなければならないが、偏向体の湾曲では反った形状を有していなければならない。
【０００３】
これは、圧力ローラを経由して、テンションが帯のこブレードのいわゆるボディにプレスされるという点において達成されるべきである。そして、これは、弓形範囲においてブレードが曲線形状を有するであろうという事実を導く。
【０００４】
【発明が解決しようとする課題】
帯のこブレードのテンションの転がり込みは、非常にやっかいな動きで、この動きには多くの経験が必要とされる。この予めのテンションの正しい設定は、のこぎりによる切削工場における自由運転の問題、達成される出力、そしてとりわけ帯のこブレードの余命に非常に重要な影響を及ぼす。しかしながら、圧力ローラを経由して、帯のこブレードセットのテンションだけでなく、同時に、その形状も決定される。従って、おそらく、提供されている非平坦な状態は、圧力ローラによって訂正され、帯のこブレードの後部エッジの正確な直進滑走も同様である。
【０００５】
今日まで、訂正を行うことが可能な位置で、束縛がなく緊張していない帯のこブレードを持ち上げることや、物差しやテンプレートによってメニスカス(meniscus)範囲に帯のこブレードの反り固定したり印を付けたりすることは、その技術に熟練している者にとっては一般的なものである。これは、本来的には手で実行される仕事であるが、その後、圧力ローラを有する簡単なマシンによって、帯のこブレードにテンションがプレスされている。
【０００６】
ヨーロッパの特許出願EP-A-0'820'829(Walter Oppliger Uetendorf)によって、帯のこブレードは適当な圧力ローラによって予めテンションが付与されているだけではなく、加えて、帯のこブレードの弓形のコースにおける予め付与されているテンションを測定する装置が知られている。この装置によって、手製の手順の原理を模倣する。これによって、休止に関して、帯のこブレードは上方に導かれ、そして、フリーカーブのより高い範囲は再び休止に戻される。ここでは降下している範囲で測定され、所望の湾曲は必ずしも測定されないが、逆側に反っている。今、志願者による試みによって、この測定が当てにならない結果をもたらす事が明らかになっている。この理由は、制御されていない帯のこブレードのフリー走行にある。従って、ブレードに残されているテンションは、カーブのコースを変えて、結果として、それ自身の反りに相互に影響する。
【０００７】
さらに、市場では、EP-A0'820'829に基づく上述の装置と類似する帯のこブレードのテンションを測定して形成を行う装置を入手する事ができる。ここで、その測定は、未だ一定の半径の範囲であって、直線通路へ遷移する前に手短に行われる。同様に、志願者によるこの測定通路の模倣は不正確で、結果を変える事が明らかにされている。会社のIshida Trading 社によって市場に出されたこのマシンの帯のこブレードと、可能な限り同じくらい一定の結果を達成するために、帯のこブレードは十分な張力（tensile stress）を有していなければならない。可能な限り一定の結果を得るために、測定範囲の帯のこブレードは、下へ持続する(holding-down)装置として可能な限り一様に導かれなければならない。しかしながら、これは、所望の押圧されたテンションと矛盾するとともに、結果の偽造を導く制約を招く結果となる。
【０００８】
非常に高価なトライアルを経て、最終的に、志願者は、非常に正確に繰り返す事ができる測定結果につながる解決策を発見した。直線通路コースの帯のこブレードは、全くの平坦となるようになっており、そして、弓形の範囲の帯のこブレードは、これに関する限りは反らすようになっているという事を知るかもしれない。これに関して、遷移範囲での直線上の帯のこブレードが実際は、形状が断続的に変更しているであろうと推測できるかもしれない。しかしながら、断続的な変更は、測定について不所望な変則につながる。それ故に、本発明の目的は、帯のこブレードのテンションの断続的な変更を回避する方法を提供する事にある。
【０００９】
【課題を解決するための手段】
本発明は、相互に距離をおいて配置された２つの偏向体（deflection station)の周りで、無限帯のこブレードを誘導するための方法に関する。帯のこブレードは、各ケースにおいて、一定の半径で、相互間において少なくとも１つの直線通路を形成する２つの偏向体によって誘導されている。
【００１０】
また、本発明は、帯のこブレードのテンションを測定してセットする装置に関し、これは上記の方法に基づいて導かれる。
【００１１】
さらに、本発明は、請求項１の方法に基づいて同様に誘導される帯のこブレードを備えた帯のこマシンを含む。
【００１２】
上記課題を解決するための目的は、請求項１の特徴を有する方法によって達成される。
【００１３】
特に、増加する半径を有する通路範囲の適切な形状は、クロソイド弧（clothoid ark）の形状である事が明らかにされている。
【００１４】
それで、請求項１または２に基づく方法による帯のこブレードの誘導は、帯のこブレードのテンションの測定と設定に関する装置の認識という可能性をもたらす。この装置は、帯のこブレードの適切な形状を形成する装置を構成するというような、ある意味において正確な測定を可能にするものである。これは、請求項３の特徴を有する装置によって達成される。さらに、有利な装置の具体的な形態は、従属請求項４から１０から推論されるべきである。
【００１５】
帯のこブレードの発明に基づく誘導が、帯のこブレードの幾何学の断続的な変化を回避するという事の明確な考慮から、以下のような結論に至る。すなわち、今まで断続的なテンションの変化は、帯のこブレードの破砕の形成に原因があるかもしれない、という結論に至る。それ故に、請求項１に基づく方法によって誘導され、そして請求項１１の特徴を備えた帯のこブレードを有する帯のこマシンを設計する事が提案される。さらに、発明に基づくこの帯のこマシンの具体例は、従属請求項１２と１３から推論されるようになっている。
【００１６】
【発明の実施の形態】
添付図面において、のこブレードの誘導の具体的な形状が詳細に明らかにされており、本発明に基づく出願は概略的に明らかにしている。
【００１７】
発明に基づく方法は図３によって最も明確に説明されるはずである。帯のこブレードそれ自身は、参照数字１によって示されている。相互に距離を隔てて二つの偏向体２が示されている。帯のこマシンの場合、偏向体２は適切な車輪によって形成されている。
【００１８】
他の応用として、例えば帯のこブレードのテンションの測定や設定に関する装置の応用では、偏向体は、少なくとも円形の通路を定める多数のローラーやドラムによって形成されうる。
【００１９】
帯のこマシンの配置を象徴的に示す図３は、Ａ側の右側半分では帯のこブレードの紋切り型の誘導が分かり、他方、Ｂ側の左側半分では帯のこブレードの発明に基づく誘導が示されるように、形成されている。
【００２０】
帯のこブレードの紋切り型の誘導では、帯のこブレードは、偏向体２で偏向車輪の半円周に沿って滑走している。二つの偏向体の間の範囲では、二つの偏向車輪の共通の接線を形成する直線に沿って、帯のこブレードが真っ直ぐに滑走する。
【００２１】
これとは対照的に、図の左側半分では、ブレード誘導は異なっています。ここでは、２種類のブレードコース方向のセクションだけでなく、３種類あります。セクションＩは、帯のこブレードが偏向体２の偏向車輪の周りを滑走するセクションである。この範囲では、コースの円周は弧状を有しており、換言すれば、この範囲における半径は一定である。この範囲に続いて、帯のこブレードが連続的に増加する半径Ｒｖａｒを有するカーブを滑走する、発明に基づく第２の範囲ＩＩが存在する。このセクションにおける、帯のこブレードは、クロソイド弧の形状に滑走する事が好ましい。さらに最後に、帯のこブレードが完全に真っ直ぐに滑走するセクションIIIが残っている。しかしながら、この具体的な形状を有する範囲において、通路IIを通じて存在する直線は、一定の半径を有するカーブに対する又は偏向体２の二つの車輪に対する、共通の接線を形成しないで、それに平行に置き換えられている。平行に置き換えられた距離は、たびたび偏心的であると考えられ、たいていの数学的公式においてEで示される。クロソイド弧は、数学的な文献において十分に扱われており、誰もが利用可能であるため、ここで、この文脈において、クロソイド弧の正確な詳細について論じる必要はない。従って全体に対応する原因は論じられない。
【００２２】
象徴的に簡単化された図３において、ライン４０は、帯のこマシンのテーブルの高さを表している。従って、材料がのこぎりで切り落とされるために誘導される自由に使用できるスペースは、発明に基づく帯のこの誘導によって、邪魔されない。
【００２３】
クロソイド弧の実際のデザインや、半径が連続的に増加するような帯のこブレードが導かれる範囲の実際のデザインは、図１において最も明確に認めることができる。明確さのためにこの図では、帯のこブレード自身は省略されている。ここで示されているセクションIIで誘導される帯のこブレードは、クロソイド弧に基づいて形成されている。セクションIIは、二つの平行な誘導チーク部（guide cheeks）２０から構成されており、製造技術上の理由基づくそれぞれの場合で、誘導チーク部２０は、二つの部分チークセクション２１と２２に細分化される。両部分チークセクションの相互の距離は、帯のこブレードの幅によって設定されうる。適切な調整装置は２３で示されている。第１の部分チークセクション２１の範囲では、クロソイド弧は非常に低い湾曲が単に提供されるだけである。ただし、第２の部分チークセクション２２は、より大きな湾曲を有するとともに、端部２４において通路の湾曲は、偏向体の半径に実質的に融合しています。
【００２４】
両第１、第２部分チークセクションにおける帯のこブレードの両側面のうち一方は、ベアリングローラー２５に誘導され、他方はホールディングダウンローラー(holding-down rollers)２６によって上方から誘導される。あまり大きな力なしで帯のこブレードを予め決められている形状に押し込むために、それぞれの場合において、二つのホールディングダウンローラー２６は、軸２８に関してある程度傾斜した動きを許容する揺動車２７に取り付けられている。これにより、帯のこブレードは、実質的に大きな外力の影響なしに、クロソイド弧の形状に誘導されうる事が保証されている。
【００２５】
この範囲で、帯のこブレードは反り形状から平坦な誘導に連続的に移される。一定の半径を有する範囲に接続する端部２４と直線通路範囲に接続する端部２９の丁度間で、帯のこブレードは実質的にテンションがなくなり、その結果として最も正確な情報を得る事が可能となり、実験によって正確に推測しうる。ここで紹介されている具体例では、この範囲は、部分チークセクション２１と２２との間で達成される。また、事実上、外力が働かない範囲がこの部分の直前、直後にある場合は、試みによって示される測定は、非常に信頼でき繰り返し可能な結果をもたらす。カーブ滑走範囲において、テンションが関連する帯のこブレードの反りが確かめられる測定部３０は、図１において明らかなように、遷移範囲において部分チーク２１から部分チーク２２に配置されている梁３０によって認識される。この梁３０には、多数の測定プローブ３１が直線上に配置されている。測定プローブは、例えば、光学的な近接測定プローブの場合がある。
【００２６】
今日の市場において提供され、全ての帯のこが真っ直ぐなマシンと対照に、多数の測定プローブ３１を有する測定梁３０は、単数のプローブによる直線的な探知に代わって、ブレードの全幅に渡る直接の探知を可能にしている。これにより、時間が節約され、また、求められている場所での素早い訂正が可能となっている。
【００２７】
図２には、請求項３で要求されているような、帯のこブレードのテンションの測定や設定に関する装置の例が示されている。帯のこブレード１は、偏向体２、２’上を誘導される。ここで、偏向体２’の直径は、半径ｒ’の一定半径を形成する範囲にある。帯のこブレードの長さに順応させるために、偏向体２はテンション手段４によって置換可能に配置されている。対照的に、偏向体２’は固定配置されている。ここで偏向体２は偏向車輪として描写されており、他方、偏向体２’は多数の偏向ローラによって形成されている。
【００２８】
図１において詳細に示されている遷移範囲５は、図２では簡単化されて表されている。遷移範囲５に続いて装置６が設けられ、装置６は圧力可変の圧力ローラ１０を有しており、圧力ローラ１０のプレス圧力は、測定に基づいて制御可能となっている装置６は、対応する制御命令をコンピュータ７から受け取る。また、コンピュータ７には、測定プローブ３１の測定データが伝えられる。コンピュータは、測定ポイントから、基準カーブと比較されるであろうカーブを準備する。この基準カーブは、コンピュータ７に入力されあるいはすでにコンピュータに提供されているものを適宜呼び出されうる。そして、この基準カーブは実際の数値と比較されて、結果として、装置６に対する制御命令が得られる。制御ユニット８は、帯のこブレードの後部の線形性を測定するのに役立てられる。これは、機械的な知覚あるいは光学式光線によってもたらされうるものである。また、制御ユニット８はコンピュータ７に測定データを伝えて、この測定データはさらに評価されて、装置６の制御に役立てられる。最後に、帯のこブレードの平面度の偏向を確認するテストユニット９がさらに提供される。この平面度は、測定プローブあるいは知覚ローラによって探知され、さらにコンピュータ７に伝えられる。そして、再度、圧力ローラを有する装置６の制御のために役立てられる。装置６は完全に慣習的に形成されうるものです。これは、例えば、二つのローラが相互に一列に整列されて配置されうるものであって、相互の圧力が様々となりうるものである。
【００２９】
また、図２に示されている装置において、直線通路コースは、いわゆる偏心Eの量によって、偏向体２と２’に関して置換して配置することも可能である。しかしながら、ここで示されている例において、偏心Eは、偏向体２と２’の直径の相違を表している。また、水平通路コースを一定の曲げ半径を有する通路コースに移すために、両サイドで遷移範囲５を形成することは、本来は本当に可能であろう。しかしながら、ここでは、帯のこブレード１は、引張り圧力にも、広範囲に及ぶ他の状態の圧力にも従わず、また、円周のスピードもほんのわずかであるため、コストの理由からここで紹介したタイプの装置は設けられないであろう。
【００３０】
すでに前述したような方法に基づく帯のこブレードの誘導によって、測定の長所を向上させるだけでなく、すでに述べたように、帯のこブレードの圧力を全体として非常に減少させる。これにより、非常にスムーズな滑走が達成され、帯のこブレードの首尾一貫性のない跳躍が大幅に回避されて、多大な有利な面がもたらされる。このため、帯のこブレードの破砕形成が大幅に回避されることが結論づけられる。従って、また、これにより、帯のこマシンの帯のこブレードがその方法に基づいて誘導される場合には、帯のこブレードの余命が増加するであろう。
【００３１】
クロソイド弧は比較的複雑な幾何学的なカーブです。実際にはもちろん、クロソイド弧に単に近づくだけかもしれません。もちろん、実質的には、それぞれ漸近的に近似した円形状から直線状に向かうカーブコースが想像可能です。現在、クロソイド弧の適用は、道路やレールの建設において特に知られている。クロソイド弧によって、一定円弧から直線への遷移における遠心力はかなり減少する。
【００３２】
【発明の効果】
以上説明したように、本発明によれば、非常にスムーズに帯のこブレードを滑走させることができ、帯のこブレードの首尾一貫性のない跳躍が大幅に回避されて、多大な有利な面がもたらされる。
【図面の簡単な説明】
【図１】  増加する半径によって誘導される帯のこブレードを有する通路範囲の展望図である。
【図２】  帯のこブレードを測定し、ぴんと張る事(tensioning)に関する装置の簡略図である。
【図３】  発明の特徴を有する帯のこマシンの純粋な概要図である。
【符号の説明】
１  帯のこブレード
２、２’  偏向体
６  装置
７  コンピュータ
８  制御ユニット
９  テストユニット
１０  圧力ローラ
２０  誘導チーク部
２１、２２  部分チークセクション
２３  調整装置
２４  端部
２５  ベアリングローラ
２６  ホールディングローラ
２７  揺動車
２９  端部
３０  測定部、梁
３１  測定プローブ
４０  ライン
【図１】
0004578748.tif 000002
【図２】
0004578748.tif 000003
【図３】
0004578748.tif 000004